(57)【要約】【課題】小さな容量の入力コンデンサでは、デジタル電話機の電力変動を十分に吸収しきれず、伝送信号を劣化させるという問題があった。【解決手段】デジタル多機能電話機２は、通信線に重畳している直流電力のみを取り出す直流分離チョークコイル９と、直流分離チョークコイル９からの直流電流の極性を統一するダイオードブリッジ１０と、ダイオードブリッジ１０からの電圧を変換してデジタル多機能電話機２の各回路に電源供給する電源部１２と、電源部１２とダイオードブリッジ１０の間に設けられ、電源部１２で発生するリップルを除去し電源変動を平滑化する入力コンデンサ１１に加え、直流分離チョークコイル９とダイオードブリッジ１０の間に設けられ、入力コンデンサ１１で平滑化しきれない電源変動を安定化させる安定化用バイポーラコンデンサ１６とを備える。【選択図】      図１
2004228620.tif 000002
【特許請求の範囲】
【請求項１】
上位装置と２線の通信線で接続されるデジタル電話機において、
該通信線に重畳している直流電力のみを取り出す直流分離チョークコイルと、該直流分離チョークコイルからの直流電流の極性を統一するダイオードブリッジと、該ダイオードブリッジからの電圧を変換して該電話機の各回路に供給する電源部と、該電源部で発生するリップルを除去し電源変動を平滑化する入力コンデンサと、該直流分離チョークコイルと該ダイオードブリッジの間に設けられ、該入力コンデンサで平滑化しきれない電源変動を安定化させるバイポーラコンデンサとを有することを特徴とするデジタル電話機。
【発明の詳細な説明】
【０００１】
【発明の属する技術分野】
本発明は、デジタル電話機に関し、特にデジタル電話機の伝送信号の劣化防止に関する。
【０００２】
【従来の技術】
一般に、デジタル電話機は、パルストランスと、終端抵抗と、ドライバと、レシーバと、伝送回路と、ＣＰＵと、電源部と、入力コンデンサと、ダイオードブリッジと、直流分離チョークコイルと、直流カットコンデンサにて構成される。
【０００３】
【特許文献１】
特開平０８−２０４８６１号公報
【０００４】
【発明が解決しようとする課題】
一方で、デジタル電話機に接続すると共にイーサーネットに接続する機能を有するアダプタ等が存在する。このアダプタは、デジタル電話機の入力段のコンデンサ容量を直接監視し、その容量によってアダプタの動作モードの変更を行うため、入力コンデンサの容量を増やすことができないという制限がある。
【０００５】
この様に小さな容量の入力コンデンサでは、デジタル電話機の電力変動を十分に吸収しきれなくなることがあり、この場合にパルストランスに変動電流が流れてしまい伝送信号を劣化させるという問題があった。
【０００６】
【課題を解決するための手段】
係る問題に鑑み、本発明は、デジタル電話機の負荷変動に伴う変動電流が伝送信号に影響を与えない方式を提供することを目的とする。
【０００７】
そこで本発明にかかるデジタル電話機は、上位装置と２線の通信線で接続されるデジタル電話機において、該通信線に重畳している直流電力のみを取り出す直流分離チョークコイルと、該直流分離チョークコイルからの直流電流の極性を統一するダイオードブリッジと、該ダイオードブリッジからの電圧を変換して該電話機の各回路に供給する電源部と、該電源部で発生するリップルを除去し電源変動を平滑化する入力コンデンサと、該直流分離チョークコイルと該ダイオードブリッジの間に設けられ、該入力コンデンサで平滑化しきれない電源変動を安定化させるバイポーラコンデンサとを有することを特徴とする。
【０００８】
【発明の実施の形態】
次に本発明の実施の形態について図面を参照して詳細に説明する。
【０００９】
図１は本発明にかかるデジタル多機能電話機のブロック図を示している。図に示すように、上位装置１と本発明にかかるデジタル多機能電話機２は、デジタル制御信号線１４及び音声デジタル信号線１５の２線にて接続されており、この２線に電話機の動作電流が重畳される。
【００１０】
また、デジタル多機能電話機２は、デジタル制御信号線１４に重畳する直流をカットする直流カットコンデンサ３と、デジタル制御信号線１４及び音声デジタル信号線１５（以下「通信線」という。）との間でデジタル制御信号及び音声デジタル信号（以下「デジタル信号」という。）の電圧を変換するパルストランス４と、パルストランス４にデジタル信号を送信するドライバ５と、パルストランス４からのデジタル信号を受信するレシーバ６と、電話機の機能を備えた電話機能部８と、デジタル多機能電話機２の各種制御を行わせるＣＰＵ１３と、レシーバ６から入力されたデジタル信号について、音声は電話機能部８に、制御信号はＣＰＵ１３に分離送信し、又、電話機能部８からの音声信号とＣＰＵ１３からの制御信号を適切なタイミングに調整してドライバ５に送信する伝送部７と、通信線に重畳している直流電力のみを取り出す直流分離チョークコイル９と、直流分離チョークコイル９からの直流電流の極性を統一するダイオードブリッジ１０と、ダイオードブリッジ１０からの電圧を変換してデジタル多機能電話機２の各回路に電源供給する電源部１２と、電源部１２とダイオードブリッジ１０の間に設けられ、電源部１２で発生するリップルを除去し電源変動を平滑化する入力コンデンサ１１と、直流分離チョークコイル９とダイオードブリッジ１０の間に設けられ、入力コンデンサ１１で平滑化しきれない電源変動を安定化させる安定化用バイポーラコンデンサ１６とを備えている。
【００１１】
次に本発明の動作について説明する。
【００１２】
まず、通信線からのデジタル信号は、直流カットコンデンサによりその直流分がカットされてパルストランス４に入力される。パルストランス４でデジタル信号を適切な電圧に変換されたデジタル信号は、レシーバ６で受信され、伝送部７に送信される。伝送部７では、音声を電話機能部８に、制御信号をＣＰＵ１３に分離送信し、ＣＰＵ１３は受信した制御信号に応じて電話機能部８に通話やリング出力等の各種動作を行わせる。
【００１３】
また、電話機能部８から入力されるフック信号やダイヤル信号はＣＰＵ１３に伝えられ、ＣＰＵ１３の制御の下で、伝送部７、ドライバ５及びパルストランス４を介し、通信線に送信される。
【００１４】
一方、通信線に重畳された直流電力は、直流分離チョークコイル９で取り出され、ダイオードブリッジ１０で直流電流の極性が統一され、電源部１２に送信される。そして、電源部１２は、受け取った直流電力をデジタル多機能電話機２に適切な電圧に変換し、各回路に電源供給する。
【００１５】
ここで、デジタル多機能電話機２は動作によって消費する電力変動が大きく、電源部１２からリップルの発生によりデジタル信号は系を劣化させてしまう。そこで、入力コンデンサ１１がこの電源部１２のリップルを吸収する。しかし、入力コンデンサ１１は十分な容量を持たないため、電源部１２のリップルを十分に吸収できない場合がある。そこで、この吸収しきれなかったリップルを安定化用バイポーラコンデンサ１６が吸収する。なお、デジタル多機能電話機２は無極性であるため、バイポーラ型のコンデンサを用いている。
【００１６】
【発明の効果】
以上説明したように本発明によれば、安定化用バイポーラコンデンサを追加することで、入力コンデンサの容量を増加しなくても、また入力コンデンサの容量に制限のある電源の使用又は安価で入力電流変動の大きな電源部の使用であっても、電源部からのリップルを除去して電源変動を十分に平滑化することができ、デジタル信号波形の劣化を防止することができる。
【図面の簡単な説明】
【図１】本発明にかかるデジタル多機能電話機を示すブロック図。
【符号の説明】
１  上位装置
２  デジタル多機能電話機
３  直流カットコンデンサ
４  パルストランス
５  ドライバ
６  レシーバ
７  伝送部
８  電話機能部
９  直流分離チョークコイル
１０  ダイオードブリッジ
１１  入力コンデンサ
１２  電源部
１３  ＣＰＵ
１４  デジタル制御信号
１５  音声デジタル信号
１６  安定化用バイポーラコンデンサ
【図１】
2004228620.tif 000003